(57)【要約】本発明は、送信機と受信機間で、所定の番号が振られたスロットでデータ・パケットを送信する方法に関し、送信機は、データ・パケットに多重化された異なるストリームのデータを１スロットで受信機に送信するために提供され、少なくとも１つの番号が振られたスロットにＳＴＯＰコマンドが提供され、受信機は、ＳＴＯＰコマンドを送信機に送信するために提供され、番号が振られたスロットの各ＳＴＯＰコマンドを、個々のスロットのストリーム・セットに対応付けるマッピング・テーブルが提供され、ＳＴＯＰコマンドは、マッピング・テーブルに従って個々のスロットのストリーム・セットをブロックするために提供される。
2006500856.tif 000002
【特許請求の範囲】
【請求項１】
送信機と受信機の間で、所定の番号が振られたスロットでデータ・パケットを送信する方法であって、前記送信機は、データ・パケットに多重化された異なるストリームのデータを１スロットで前記受信機に送信するために提供され、少なくとも１つの番号が振られたスロットにＳＴＯＰコマンドが提供され、前記受信機は、前記ＳＴＯＰコマンドを前記送信機に送信するために提供され、前記番号が振られたスロットの各ＳＴＯＰコマンドを、個々のスロットのストリーム・セットに対応付けるマッピング・テーブルが提供され、前記ＳＴＯＰコマンドは、前記マッピング・テーブルに従って前記個々のスロットの前記ストリーム・セットをブロックするために提供される方法。
【請求項２】
前記送信機と前記受信機には、構成メッセージを用いて前記マッピング・テーブルが設けられる請求項１に記載の方法。
【請求項３】
前記受信機は、ＳＴＯＰコマンドを送信してストリーム・セットをブロックすると、そのセットに割り当てられたタイマを開始し、前記タイマが動作を停止すると、前記ブロックされるストリーム・セットがなおブロックされるべき場合はさらなるＳＴＯＰコマンドを送信する請求項１に記載の方法。
【請求項４】
所定の番号が振られたスロットで送信機からデータを受信する端末であって、前記端末は、データ・パケットに多重化された異なるストリームのデータを１スロットで前記受信機に送信するために提供され、少なくとも１つの番号が振られたスロットにＳＴＯＰコマンドが提供され、前記端末は、前記ＳＴＯＰコマンドを前記送信機に送信するために提供され、前記番号が振られたスロットの各ＳＴＯＰコマンドを、個々のスロットのストリーム・セットに対応付けるマッピング・テーブルが提供され、前記ＳＴＯＰコマンドは、前記マッピング・テーブルに従って前記個々のスロットの前記ストリーム・セットをブロックするために提供される端末。
【請求項５】
送信機と受信機を備えるシステムであって、前記送信機と前記受信機の間で、所定の番号が振られたスロットでデータ・パケットを送信することができ、前記送信機は、データ・パケットに多重化された異なるストリームのデータを１スロットで前記受信機に送信するために提供され、少なくとも１つの番号が振られたスロットにＳＴＯＰコマンドが提供され、前記受信機は、前記ＳＴＯＰコマンドを前記送信機に送信するために提供され、前記番号が振られたスロットの各ＳＴＯＰコマンドを、個々のスロットのストリーム・セットに対応付けるマッピング・テーブルが提供され、前記ＳＴＯＰコマンドは、前記マッピング・テーブルに従って前記個々のスロットの前記ストリーム・セットをブロックするために提供されるシステム。
【請求項６】
前記送信機は、ワイヤレスまたはセルラ方式の遠隔通信ネットワークの基地局であり、前記受信機は、移動局である請求項５に記載のシステム。
【請求項７】
前記スロットの番号は、ユニバーサル移動遠隔通信システム（ＵＭＴＳ）の高速ダウンリンク共有チャネルのＨＡＲＱプロセス番号によって与えられる請求項５に記載のシステム。
【請求項８】
ユニバーサル移動遠隔通信システム（ＵＭＴＳ）のダウンリンク時間送信間隔のチャネル品質指示のビット組合せの１つが、前記ＳＴＯＰコマンドの伝達に使用されることを特徴とする請求項５に記載のシステム。
【請求項９】
前記受信機は、エア・インタフェース、特にＢｌｕｅｔｏｏｔｈインタフェースまたは赤外線インタフェースを介して電子デバイスに接続することができる請求項５に記載のシステム。
【発明の詳細な説明】
【技術分野】
【０００１】
本発明は、送信機と受信機間でデータ・パケットを送信する方法、および個々のデータ送信システムに関する。
【背景技術】
【０００２】
そのような方法は、例えば、文献「3GPP TS 25.308 V5.2.0 (2002-2003), Technical Specification, 3rd Generation Partnership Project; Technical Specification Group Radio Access Network; High Speed Downlink Packet Access (HSDPA); Overall Description; Stage 2 (Release 5)」から知られ、この方法では、データが、高速ダウンリンク共有チャネル（ＨＳ−ＤＳＣＨ）のダウンリンクで高速に送信される。
【０００３】
この周知のＨＳ−ＤＳＣＨ（高速ダウンリンク共有チャネル）の送信方法では、最高でＮ＝８の異なる時間チャネルでデータが、Ｓｔｏｐ＆Ｗａｉｔプロトコルに従って送信され、データ・パケットは、１回１回の送信の後に時間チャネルで応答（アクノリッジ）され、すなわち、エラーを一切生じずに復号が可能であった場合は、ＡＣＫ（肯定応答）が、移動局から送り返され、エラーを含んでいた場合は、移動局は、ＮＡＣＫ（否定応答）を送り返す。そして、ＮＡＣＫは、最終的にエラーのないパケットを送信できるように追加的な冗長性を求める要求を示唆する。
【０００４】
この最高８個の各時間チャネルは、ＨＡＲＱプロセス（ハイブリッド自動再送要求）とも称される。各ＨＡＲＱプロセスではＳｔｏｐ＆Ｗａｉｔプロトコルが使用され、このプロトコルは、応答が得られるまで送信を阻止するので、スループットを最大に高めるために、データ・パケットは、各種のＨＡＲＱプロセスに従って次から次へと送信される。さらに、追加的な別のＨＳ−ＳＣＣＨ（高速共有チャネル制御チャネル）で、例えば送信が行われる対象の個々のＨＡＲＱプロセスの番号または識別が受信側の移動局に通知されるため、送信が反復される場合には、反復されるデータが関連する最初の送信を明確に判定することができる。
【０００５】
受信応答（ＡＣＫ、ＮＡＣＫ）は、アップリンク（ＵＬ）で送信されるため、そのタイム・スロットから、ダウンリンク（ＤＬ）でその受信応答が参照するＨＡＲＱプロセスが明瞭に明確に分かる。この目的のために、ＤＬのスロット構造と同様のスロット構造がＵＬで定義され、一方、ＤＬのスロット構造と比較すると、ＵＬのスロット構造は、固定された所定値だけ時間的にずらされる。ダウンリンクでは、連続した３スロットがいわゆる送信時間間隔（ＴＴＩ）を形成し、このＴＴＩでは正確に１つのパケットを送信することができる。ＵＬでは、各ＴＴＩに３スロットが割り当てられる。各ＴＴＩの最初のスロットで、ＡＣＫまたはＮＡＣＫが送信され、一方、次の２つのスロットでは、そのように設定されている場合はチャネル品質（ＣＱＩ）（チャネル品質指示）の推定値を送信することができる。移動局は、これらのＣＱＩビットにより、直前のＴＴＩにおけるチャネル品質がどれほど良好であったかを基地局に知らせる。このようにして、基地局は、次のパケット送信のためのできるだけより良好な適切な変調または符号化方式を選択するための追加的な基準を受け取る。
【０００６】
ＨＡＲＱプロセスでは、異なる接続のパケット・データが送信され、その接続の一部は移動局で直接終了し、他の接続は、インタフェースを介して外部のコンポーネントまたはデバイスに誘導される。これらの外部インタフェースも例えばＢｌｕｅｔｏｏｔｈあるいは赤外線接続の場合のように無線などのワイヤレス方式で操作される場合、利用可能なデータ・レートは、例えばシャドーイングにより、このインタフェースを介する時間に応じて変化する可能性がある。このインタフェースを通じたデータ・レートが接続の操作中に低下すると、ダウンリンクで（ＨＳ−ＤＳＣＨを介して）送信されるデータが、もはや外部の無線インタフェースを通じて搬送することができなくなる可能性がある。データは、移動局のバッファ・メモリが一杯になるまでバッファ・メモリに長く滞留し、その後消去される。
【発明の開示】
【発明が解決しようとする課題】
【０００７】
本発明の目的は、データ・ストリームを制御する改良された方法を提供することである。本発明の別の目的は、それに関連するシステムおよびそれに関連する端末を提供することである。
【課題を解決するための手段】
【０００８】
この目的は、本発明により、請求項１に記載の特徴を有する方法、請求項４に記載の特徴を有する端末、および請求項５に記載の特徴を有するシステムによって達成される。
【０００９】
有利には、本発明による方法により、受信機は、受信機の外部インタフェースのボトルネックが改善されるまで送信レートを下げることが可能にされ、そのため、ボトルネックの結果生じる不要なデータ・パケットを最初から送信機に保持することができる。これにより、例えば外部インタフェースでのボトルネックの結果、受信機によって拒絶されるにも関わらず送信機から受信機に不必要にパケットが送信されることが回避される。
【００１０】
マッピング・テーブルを用いて、番号が振られた各スロットのＳＴＯＰコマンドに個々の意味を持たせることができる。マッピング・テーブルは、ＳＴＯＰコマンドが受信機から送信機に送信される際にブロックすべき個々のスロットのストリーム・セットを指示する。
【００１１】
これにより、例えば受信機の外部インタフェースを宛先とするデータのみをブロックすることが可能になり、一方、すべてのそれ以外のデータ、例えば受信機の振る舞いを制御する制御データは、ＳＴＯＰコマンドの影響を受けない。
【００１２】
送信機と受信機の間のデータ・パケットは、Ｓｔｏｐ＆Ｗａｉｔプロトコルに従って有利に送信される。Ｓｔｏｐ＆Ｗａｉｔプロトコルにより、データ・パケットは、各送信の後に時間チャネルで受信が通知され、すなわち、エラーを生じずに復号が可能であった場合は、受信機からＡＣＫメッセージ（肯定応答）が送り返される。送信がエラーを含んでいた場合、受信機は、ＮＡＣＫ（否定応答）を送り返す。そして、ＮＡＣＫは、最終的にエラーのないパケットを送信することができるように追加的な冗長性の要求を示唆する。
【００１３】
請求項２に請求される本発明の好ましい実施形態によれば、送信機と受信機には、構成メッセージを利用してマッピング・テーブルが提供される。
【００１４】
この構成メッセージは、例えば、送信機と受信機間に送信リンクが確立される際に送信することができる。加えて、マッピング・テーブルは、例えばストリームが再構成されるときなど、確立された送信リンク中で変更することができる。
【００１５】
請求項３に請求される本発明の好ましい実施形態によれば、受信機は、ＳＴＯＰコマンドを送信してストリームのセットをブロックすると、そのセットに割り当てられたタイマを開始し、そのタイマが動作を停止すると、ブロックしようとするストリーム・セットをなおブロックすべき場合は、さらなるＳＴＯＰコマンドを送信する。
【００１６】
タイマが動作を停止すると、受信機は、外部インタフェース・リンクへのボトルネックがまだ存在するかどうかを調べる。存在する場合は、再度ＳＴＯＰコマンドを送信する。
【００１７】
これにより、ストリームのセットのブロックを排除するための余分なコマンドを提供する必要がなくなる。
【００１８】
現在、ＣＱＩビット組合せのすべてがチャネル品質指示のために提供されている訳ではない。ＳＴＯＰコマンドを利用できるようにするために、不使用のビット組合せの１つを有利に使用することができる。
【００１９】
本発明によるシステムの送信機は、例えば移動遠隔通信システムの基地局であり、受信機は、そのようなシステムの移動局である。本発明による端末は、例えばそのようなシステムの移動局である。
【００２０】
そのような移動局は、例えばＢｌｕｅｔｏｏｔｈインタフェースあるいは赤外線インタフェースなどの外部インタフェースを備えることができる。移動局と外部インタフェースの間のデータ送信が、劣化したチャネル条件のために妨害または中断された場合、移動局は基地局にＳＴＯＰコマンドを送信する。
【００２１】
本発明の上記および他の態様は、以下で説明する実施形態から明らかになり、実施形態を参照して説明される。
【００２２】
以下で図面を参照して本発明の例示的実施形態を説明する。
【発明を実施するための最良の形態】
【００２３】
図１に、コア・ネットワーク２およびＵＭＴＳ地上無線アクセス・ネットワーク（ＵＴＲＡＮ）３を備えるＵＭＴＳネットワーク１を概略的に示す。ＵＴＲＡＮ３は、複数の無線ネットワーク・コントローラ（ＲＮＣ）４を備え、各ＲＮＣは、隣接する基地局（ＢＳ）５のセットに結合される。ＢＳはしばしばノードＢと称される。各ＢＳ５は、エア・インタフェースを介して所与のセル内の移動局（あるいはユーザ機器（ＵＥ）６と通信する役割を担う。ＲＮＣ４は、ＢＳ５とコア・ネットワーク２の間でユーザ・データとシグナリング・データをルーティングする役割を担う。移動局６は、例えばブルートゥース・インタフェースあるいは赤外線インタフェースなどの外部エア・インタフェースを備える。この外部インタフェースを介して、移動端末６を電子デバイス７に接続することができる。電子デバイス７は、例えばパーソナル・コンピュータである。
【００２４】
図２に、ＵＭＴＳネットワークのＢＳとＵＥの間でデータを送信するデータ送信方式を示し、ここでは、データは、高速ダウンリンク共有チャネル（ＨＳ−ＤＳＣＨ）のダウンリンクを通じて高速で送信される。例示的実施形態では、Ｎ＝４の異なる時間チャネルでＳｔｏｐ＆Ｗａｉｔプロトコルに従ってデータが送信されるものとする。Ｓｔｏｐ＆Ｗａｉｔプロトコルにより、データ・パケットには、各送信の後に時間チャネルで受信応答が返される。すなわち、エラーなしにパケットの復号が可能であった場合は、ＡＣＫメッセージ（肯定応答）が移動局から送り返され、パケットの復号がエラーを示した場合は、移動局は、ＮＡＣＫ（否定応答）を送り返す。そして、ＮＡＣＫは、最終的にエラーのパケットを復号することができるように追加的な冗長性の要求を示唆する。
【００２５】
これら４つの各時間チャネルは、ＨＡＲＱプロセス（ハイブリッド自動再送要求）とも呼ばれる。各ＨＡＲＱプロセスでは、受信応答が得られるまで送信を阻止するＳｔｏｐ＆Ｗａｉｔプロトコルが使用されるので、スループットを最大にするために、データ・パケットは、各種のＨＡＲＱプロセスに従って次々と送信される。さらに、追加的な別のＨＳ−ＳＣＣＨ（高速共有チャネル制御チャネル）で、例えば送信が行われる対象の個々のＨＡＲＱプロセスの番号または識別が受信側の移動局に通知されるため、送信が反復される場合は、反復されるデータが関連する最初の送信を明確に判定することができる。
【００２６】
受信応答（ＡＣＫ、ＮＡＣＫ）は、アップリンク（ＵＬ）で移動局から基地局に送信されるため、そのタイム・スロットから、ダウンリンク（ＤＬ）でその受信応答が参照するＨＡＲＱプロセスが明確に分かる。この目的のために、ＤＬのスロット構造と同様のスロット構造がＵＬで定義され、ＤＬのスロット構造と比較すると、ＵＬのスロット構造は、固定された所定値だけ時間的にずらされる。ダウンリンクでは、連続した３スロットがいわゆる送信時間間隔（ＴＴＩ）を形成し、このＴＴＩで正確に１つのパケットを送信することができる。ＵＬでも、各ＴＴＩに３スロットが割り当てられる。各アップリンクＴＴＩの最初のスロットでは、ＡＣＫまたはＮＡＣＫが送信され、一方、関連付けられた構成を有する次の２スロットでは、チャネル品質（ＣＱＩ）（チャネル品質指示）の推定値を送信することができる。移動局は、３ビットのＣＱＩビットにより、直前のＴＴＩでチャネル品質がどれほど良好であったかを基地局に知らせる。このようにして、基地局は、次のパケット送信のための恐らくはより良好な適切な変調または符号化方式を選択するための追加的な基準を受け取る。
【００２７】
ＨＡＲＱプロセスでは、異なる接続のパケット・データが送信され、その接続の一部は移動局で直接終了し、他の接続は、外部のコンポーネントまたはデバイスとのインタフェースに誘導される。これらの外部インタフェースも例えばＢｌｕｅｔｏｏｔｈ（あるいは赤外線接続）の場合のように無線などのワイヤレス方式で操作される場合、利用可能なデータ・レートは、例えばシャドーイングにより、このインタフェースを介する時間に応じて変化する可能性がある。このインタフェースを通じたデータ・レートが接続の操作中に低下すると、ダウンリンクで（ＨＳ−ＤＳＣＨを介して）送信されるデータが、もはや外部の無線インタフェースを通じて搬送できなくなる可能性がある。バッファ・メモリが一杯になったときにデータを消去しなければならないことを回避するために、ＳＴＯＰコマンドが提供される。ＳＴＯＰコマンドは、移動局から基地局に送信することができる。現在は、ＣＱＩビットの組合せのすべてがチャネル品質指示に提供されている訳ではない。不使用のビット組合せの１つを、ＳＴＯＰコマンドを利用可能にするために有利に使用することができる。
【００２８】
送信する際に経由する外部インタフェースが現在ボトルネックを形成しているために一時的にもはや実際に送信すべきでないダウンリンク・データに、番号がふられた各スロットのＳＴＯＰコマンドが割り当てられる。本発明の例示的実施形態によれば、これは、基地局と移動局に既知のマッピング・テーブルを利用して実現される。それ以外のすべてのデータ、より詳細には例えば移動局の振る舞いを制御する（無線リソース制御またはモビリティ管理）ための制御データは、これにより影響を受けるべきではない。したがって、ＨＡＲＱプロセスへのＳＴＯＰコマンドの割当て（および、「3GPP TS 25.321 V5.1.0 (2002-06) 3rd Generation Partnership Project; Technical Specification Group Radio Access Network; MAC protocol specification (Release 5)」によると、ＨＡＲＱプロセスによって送信されるパケットは、正確に１つの優先度クラスについてのデータを含むので、したがって、非間接的には正確に１つの優先度クラスへの割当て（同文献は参照のために本明細書に含める）は好ましくないことになる。これは、個々のＨＡＲＱプロセスは、異なる論理チャネルまたは異なる無線ベアラ（bearer）のデータを多重化モードで送信するためである。この論理チャネルと無線ベアラは、「3GPP TS 25.301 V5.2.0 (2002-09) 3rd Generation Partnership Project; Technical Specification Group Radio Access Network; Radio Interface Protocol Architecture (Release 5)」に定義される。同文献は参照により本明細書に組み込まれる。実際、Ｂｌｕｅｔｏｏｔｈリンクまたは赤外線リンクのデータを正確に１つの優先度クラスに割り当て、移動局で終端するリンクのデータがその優先度クラスを使用しないことは、適切な構成によって実現することができる。しかし、その場合、Ｂｌｕｅｔｏｏｔｈリンクで送信されるデータ自体が異なる優先順位を有することは不可能になる。また、優先順位クラスの数は、８個と比較的少なく、そのため、Ｂｌｕｅｔｏｏｔｈリンクのデータに排他的に１つの優先順位クラス（そして可能性としてはＩＲリンクのデータに別の優先順位クラス）を提供することは好ましくないように思われる。
【００２９】
本発明の例示的実施形態によれば、個々のＤＬストリームへのＳＴＯＰコマンドの修正された割当てが提供される。正確に１つの優先順位クラスにＳＴＯＰコマンドを割り当てる代わりに、ＳＴＯＰコマンドが送信される割り当てられたアップリンクの送信時間間隔（ＵＬ  ＴＴＩ）におけるＨＡＲＱプロセスの識別または番号を、ＳＴＯＰコマンドを受信する際にノードＢがブロックすべき
−８個の優先順位クラスの１つ
−１５個の論理チャネルの１つ、または
−３２個の無線ベアラの１つ
へのポインタとして定義することができる。
【００３０】
したがって、ＨＡＲＱプロセスＸのＵＬ  ＴＴＬでＳＴＯＰコマンドが送信される場合、例えばこのマッピング・テーブルを利用すると、ＳＴＯＰコマンドは、例えば
−  その優先順位クラスに属するすべてのリンクをブロックすれば十分である場合は、優先順位クラスＹ、
−  単一の論理チャネルをブロックすべき場合は論理チャネルＹ、
−  単一の無線ベアラをブロックすべき場合は無線ベアラＹ
に関連する。
【００３１】
マッピング・テーブルは、無線ベアラ、論理チャネル、および優先順位クラスへの割当てを混合してもよい。４つのＨＡＲＱプロセスが実行される場合、このマッピング・テーブルは、次のようになる。
【表１】
2006500856.tif 000003
【００３２】
複数のリンクをブロックすべき場合は、ＨＡＲＱプロセスＸのＵＬ  ＴＴＩのＳＴＯＰコマンドは、例えば以下のものもブロックすることができる
−  最低の（あるいは最高の）優先順位クラスから開始するクラスＹまでのすべての優先順位クラス、
−  最大の（あるいは最小の）識別または番号を有する論理チャネルから開始する論理チャネルＹまでのすべての論理チャネル、または
−  最大（あるいは最小の）識別または番号を有する無線ベアラから開始する無線ベアラＹまでのすべての無線ベアラ、または、一般には、あらかじめ定義されたサブセット。したがって
−  あらかじめ定義された優先順位クラスのサブセット
−  あらかじめ定義された論理チャネルのサブセット
−  あらかじめ定義された無線ベアラのサブセット
または、それら（すなわち、優先順位クラスのサブセット、論理チャネルのサブセット、および無線ベアラのサブセット）の組合せ。
【００３３】
使用するＨＡＲＱプロセスの数も設定することができる。Ｓｔｏｐ＆Ｗａｉｔプロトコルは受信応答が受信されるまでデータ・フローをブロックするので、通例は少なくとも２つのＨＡＲＱプロセスが並行して操作される。その場合は、利用可能な異なるＳＴＯＰコマンドは２つのみになる。しかし、２つのＨＡＲＱプロセスを用いると、可能なデータ・レートは明確により低くなり、したがって、ＳＴＯＰコマンドを送信しなければならないことはめったにないので、これはそれほど大きな不都合とはならない。一般には、Ｎ個のＨＡＲＱプロセスがある場合は、マッピング・テーブルを利用して優先順位クラス、論理チャネル、または無線ベアラに適切に割り当てることのできる異なるＳＴＯＰコマンドがＮ個利用できる。
【００３４】
さらに、ＳＴＯＰコマンドは、例えばＳＴＯＰコマンドの信頼性をさらに高めるために、複数のＨＡＲＱプロセスに割り当ててもよい。例えば基地局と移動局間の通信に４つのＨＡＲＱプロセスが実行され、１つのみの論理チャネル（１つの優先順位クラス、１つの無線ベアラ）をブロックすべき場合、４つのＨＡＲＱプロセスに割り当てられたＳＴＯＰコマンドを、論理チャネル（優先順位クラス、無線ベアラ）に割り当てることができる。したがって、移動局がＨＳ−ＤＳＣＨを通じてデータを受信する各ＴＴＩで、１つのストリームを規制するためのこのＳＴＯＰコマンドを繰返し送信することができる。信号の信頼性を高めるために、受信側の基地局は、所定の時間間隔内にそのストリームについての所定数のＳＴＯＰコマンドを受信するまで、アドレス指定されたストリームをブロックして待つ。
【００３５】
ブロックを排除するためのコマンドを回避するために、基地局は、ＳＴＯＰコマンドが受信された時にタイマＴＳＴＯＰ，ＢＳを開始する。ＴＳＴＯＰ，ＢＳが動作している限り、基地局は、ブロックされるストリームに対してパケットを一切送信しない。ＴＳＴＯＰ，ＢＳが動作を停止すると、基地局は、再び、ブロックされていたストリームについてのパケットを送信することができる。次いでさらなるブロックが行われる場合は、移動局は再度ＳＴＯＰコマンドを送信する。また、移動局は、（データを外部インタフェースに移送しようとする際のボトルネックの結果）ＳＴＯＰコマンドを送信すると、移動局内でタイマＴＳＴＯＰを開始することができ、このタイマは、ＴＳＴＯＰ，ＢＳと同じ持続時間を有する。ＴＳＴＯＰが動作を停止しない限り、移動局は、ブロックされるストリームでそれ以上のデータ・パケットの到着を予期しない。それでも、そのストリームのデータが到着した（そしてそのデータが、基地局がＳＴＯＰコマンドを受信していないことを示す）場合、移動局は、再度ＳＴＯＰコマンドを送信し、その時点でタイマが新規に開始される。タイマＴＳＴＯＰが動作を停止すると、移動局は、外部リンクのボトルネックがまだ存在するかどうかを調べる。まだ存在する場合、移動局は、その外部リンクのサブストリームをすべてブロックするように設定されたＳＴＯＰコマンドを再度送信する。これは、「3 GPP TS 25.321 V5.1.0 (2002-06) 3rd Generation Partnership Project; Technical Specification Group Radio Access Network; MAC protocol specification (Release 5)」に記載されるシステムで特に有用である。移動局が、エラーのないデータ・パケットを検出できるまで反応せず、そのデータ・パケットが、「ボトルネック」のある外部リンクを通じて渡すことのできるデータを含んでいると確認した場合、データは、そのデータ・パケットをエラーを生じずに復号することができるまで、外部リンクへ無用に送信され、その後ようやくＳＴＯＰコマンドを送信することができる。移動局が、エラーのない復号を行わずに、データ・パケットに含まれるストリームを検出することができた場合であ
っても（ただしこれは「3GPP TS 25.321 V5.1.0 (2002-06) 3rd Generation Partnership Project; Technical Specification Group Radio Access Network; MAC protocol specification (Release 5)」に記載されるシステムでは該当しない）、タイマが終了した後にＳＴＯＰコマンドを送信することにより、無用なダウンリンク送信が回避される。
【００３６】
これに加えて、基地局は、送信されるＰＤＵのヘッダで、移動局がどのストリームに対してＳＴＯＰコマンドを受信したのかを移動局に通知することができる。この通知がない場合は、移動局は、ＳＴＯＰコマンドを送信すると、そのＳＴＯＰコマンドが検出されなかったものととみなし、ＳＴＯＰコマンドを新たに送信する。
【００３７】
ＨＡＲＱプロセスに割り当てられるＳＴＯＰコマンドと、そのＳＴＯＰコマンドが関連する、制御しようとする１つまたは複数のＤＬストリーム（論理チャネル、優先順位クラス、無線ベアラ、またはそれらのサブセット）それぞれとの対応付けは、必要に応じてブロックすべきＨＳ−ＤＳＣＨを通じてデータを送信するためのデータ・リンクが確立される時に移動局と基地局に通知される。この対応付けの命令も補うことができ、あるいはすでに利用できる場合は、データ・リンクがすでにＨＳ−ＤＳＣＨに存在する時に再設定することができる。
【図面の簡単な説明】
【００３８】
【図１】ＵＭＴＳ移動遠隔通信ネットワークの簡略化したアーキテクチャの図である。
【図２】図１に示すＵＭＴＳ移動遠隔通信ネットワークの基地局と移動局の間のデータ送信を操作するためのデータ送信方式の例示的実施形態の図である。
【図１】
2006500856.tif 000004
【図２】
2006500856.tif 000005
【国際調査報告】
2006500856.tif 000006
2006500856.tif 000007